(57)【特許請求の範囲】
【請求項１】
カートリッジに収納された第一ディスクを支持して該第一ディスクに回転力を伝達する第一ターンテーブルと、前記第一ターンテーブルに装着・離間可能であり、カートリッジに収納されない第二ディスクを支持して該第二のディスクに回転力を伝達する第二ターンテーブルと、前記第一ターンテーブルを回転駆動するスピンドルモータとを有するディスク装置において、
前記第二ターンテーブルを遊嵌保持した保持アームと、前記第二ターンテーブルを前記第一のターンテーブル上に装着・離間しうるように、前記保持アームを上下方向に揺動可能に支持する第一支軸と、前記保持アームを平面方向に回動待避可能に支持する第二支軸とを備えたディスク装置。
【請求項２】
第一ディスク装着時に駆動する第一駆動プレートと、この第一駆動プレートの始動後の第一の動作期間で保持アームを上昇させて第二ターンテーブルを第一ターンテーブルから離間させるアーム上昇手段と、引き続き前記第一駆動プレートの第二動作期間で前記保持アームを平面回動させて第二ターンテーブルを第一ディスク再生に対して支障のない位置に待避させるアーム回動手段とを備えたことを特徴とする請求の範囲第１項記載のディスク装置。
【請求項３】
保持アームを平面回動させて、第二ターンテーブルを第一ターンテーブルに対して支障のない位置に待避させた後、保持アームを下降させて前記第二ターンテーブルの少なくとも一部を前記第一ディスクより下方へ待避させるアーム下降手段を備えたことを特徴とする請求の範囲第１項記載のディスク装置。
【請求項４】
第二ディスクを第二ターンテーブルに押圧・挟持するクランパを保持するクランパアームと、このクランパアームの端部に形成されて保持アームの第二支軸と同一方向に設けられた第三支軸と、前記保持アームが上昇したときに互いに係合する係合部を該保持アームと前記クランパアームとに設けたことを特徴とする請求の範囲第１項記載のディスク装置。
【請求項５】
ディスクケースに収納されたケース内蔵記録媒体ディスクと、ディスク単体で使用されるディスクケースに収納されていないケース非収納記録媒体ディスクとを、ターンテーブルに対し別々に装填、排出可能であり、前記ケース内蔵記録媒体ディスクおよび前記ケース非収納記録媒体ディスクいずれに対しても再生可能なディスク装置において、
前記ケース内蔵記録媒体ディスク装填機構がケース内蔵記録媒体ディスクを装置内の所定位置へ引き込んで前記ターンテーブル上に装填する際、直動的に移動する駆動プレートと、
該駆動プレートの移動により、前記ケース内蔵記録媒体ディスクを装置内の所定位置へ引き込んで前記ターンテーブル上に装填するケース内蔵記録媒体ディスク装填機構と、
装置内の所定位置へ取り込まれた前記ケース非収納記録媒体ディスクを前記ターンテーブル上に非収納記録媒体ディスクアダプタを介し装填する、非収納記録媒体ディスククランパーと非収納記録媒体ディスクアダプタとをそれぞれ上下動かつ回動可能に支持した非収納記録媒体ディスク装填機構と、
前記駆動プレートの直動的な移動により、前記非収納記録媒体ディスクアダプタと前記非収納記録媒体ディスククランパーとを一体的に重合させるカム機構と、
該カム機構より重合された前記非収納記録媒体ディスクアダプタと前記非収納記録媒体ディスククランパーを、前記ケース内蔵記録媒体ディスクの前記ターンテーブル上への装填に支障のない装置奥方へ前記駆動プレートの移動に伴って移動させる装置奥方移動機構と、
該装置奥方移動機構により装置奥方へ移動された前記非収納記録媒体ディスクアダプタと前記非収納記録媒体ディスククランパーを、前記ターンテーブル上へ装填された前記ケース内蔵記録媒体ディスクより下方へ移動させ待避させる待避機構とを備えていることを特徴とするディスク装置。
【請求項６】
駆動プレートは、
ディスク挿脱口から挿入され、ケース内蔵記録媒体ディスクホルダーへ装着されたケース内蔵記録媒体ディスクの装置内への押し込み動作により直動的な移動を開始することを特徴とする請求の範囲第５項記載のディスク装置。
【請求項７】
カム機構は、
前記駆動プレートの直動的な移動により、前記非収納記録媒体ディスクアダプタを上方へ持ち上げ、前記非収納記録媒体ディスククランパーとを一体的に重合させることを特徴とする請求の範囲第５項記載または請求の範囲第６項記載のディスク装置。
とする請求の範囲第５項記載または請求の範囲第６項記載のディスク装置。
【請求項８】
カム機構は、
直動的な移動を行う駆動プレートに構成されたカム面構成部と、非収納記録媒体ディスクアダプタが先端に構成された非収納記録媒体ディスクアダプタアームの基部付近の前記カム面構成部と当接可能な位置に設けられた突片を備えていることを特徴とする請求の範囲第７項記載のディスク装置。
【請求項９】
装置奥方移動機構は、
直動的な移動を行う駆動プレートに構成されたガイドピンと、
前記駆動プレートの直動的な移動により一体的に重合された非収納記録媒体ディスクアダプタと非収納記録媒体ディスククランパーを装置奥方へ移動させる、非収納記録媒体ディスクアダプタアームの基部付近に形成され前記ガイドピンと係合したガイド孔とを備えていることを特徴とする請求の範囲第７項または請求の範囲第８項記載のディスク装置。
【請求項１０】
非収納記録媒体ディスク装填機構は、
非収納記録媒体ディスククランパーを上下動かつ回動可能に支持した第１アーム支持部材と、
非収納記録媒体ディスクアダプタを上下動かつ回動可能に支持し、前記第１アーム支持部材と回動支軸を共通にする第２アーム支持部材とを有し、
待避機構は、
駆動プレートの直動的な移動動作の最後で、装置奥方からディスク挿脱口の方向へ移動する外部移動体と、
該外部移動体の移動により、装置奥方からディスク挿脱口の方向へ移動し、前記第１アーム支持部材と前記第２アーム支持部材とに共通した前記回動支軸の位置を下降させることで、装置奥方へ移動された前記非収納記録媒体ディスクアダプタと前記非収納記録媒体ディスククランパーを、前記ターンテーブル上へ装填された前記ケース内蔵記録媒体ディスクより下方へ移動させ待避させるカムフラップとを備えていることを特徴とする請求の範囲第８項記載のディスク装置。
【発明の詳細な説明】
【技術分野】
【０００１】
この発明は、カートリッジに収納された状態で使用されるミニディスク（ＭＤ）と、カートリッジに収納されていないディスク単体で使用されるコンパクトディスク（ＣＤ）との再生ができるディスク装置に関するものである。
【背景技術】
【０００２】
第１図〜第３図は、例えば特開平７−２２０３５５号公報に示された従来のディスク装置の構成図である。図において、３０１は光ピックアップ３０５とスピンドルモータ３０３を支持するサブベース、３０４は前記スピンドルモータ３０３に固着されて、カートリッジ３１１に収納されたミニディスク（ＭＤ）３１２を回転駆動するための第一ターンテーブル、３０６は保持部材３０２に遊嵌保持された第二ターンテーブル、３０８はクランパホルダ３０７に遊嵌保持されたクランパ、３１０はカートリッジ３１１を保持、案内するガイド部材である。
【０００３】
前記保持部材３０２は筐体３１４に対し緩衝保持されており、前記サブベース３０１は所定のモードに応じて上昇、下降動作するように構成されている。また、前記クランパホルダ３０７は、所定モードに応じて、前記保持部材３０２に向かって近接、離間するように構成されている。
【０００４】
次に動作について説明する。
ミニディスク３１２の再生に際しては、まず、第１図に示すように、カートリッジ３１１がガイド部材３１０に挿入されると、昇降モータ３１５の動作によって、サブベース３０１が上昇し、第一ターンテーブル３０４がミニディスク３１２の所定のクランプエリアと当接する位置、すなわち第３図に示す状態まで移動する。この状態において、スピンドルモータ３０３が回転することによって、ミニディスク３１２を回転させ、再生動作を行う。
【０００５】
また、カートリッジに収納されていないディスク単体で使用されるコンパクトディスク（ＣＤ）３１３の再生に際しては、保持部材３０２とクランパ３０８との間の間隙にコンパクトディスク３１３が挿入され、次いで昇降モータ３１５の動作によって、サブベース３０１は第一ターンテーブル３０４がコンパクトディスク３１３の所定のクランプエリアと当接する位置、すなわち第２図に示す状態まで上昇する。
【０００６】
この時、クランパホルダ３０７も下降動作を行い、コンパクトディスク３１３を第二ターンテーブル３０６との間で挟持する。また、サブベース３０１が上昇するための空間を設けるために、ガイド部材３１０も横方向へ待避動作を行う。上記の一連の動作終了後、スピンドルモータ３０３が回転することによって、第一ターンテーブル３０４と、これと接合している第二ターンテーブル３０６が回転駆動することによって、コンパクトディスク３１３を回転させて、再生動作を行う。
【０００７】
第４図、第５図は、例えば特開平９−２３１６５４号公報に示された従来のディスク装置の構成図である。図において、３２１は光ピックアップ３２５とスピンドルモータ３２３を搭載したベース、３２４は前記スピンドルモータに固着された第一ターンテーブルである。３２６は保持アーム３２２に遊嵌保持された第二ターンテーブルで、前記保持アーム３２２はベース３２１に植設された軸３２７に回動自在に保持されると共に、鉛直方向にも摺動自在に保持されている。３２８は前記保持アーム３２２に形成されたギア部で、駆動モータ３２９の駆動力をギア３３０，３３１を介して伝達している。３３２はベース３２１に設置された三角カムで、前記保持アーム３２２の裏面には、この三角カムと対向してボス３３３が形成されている。
【０００８】
次に動作について説明する。
コンパクトディスクの再生に際しては、第一ターンテーブル３２４上に装着された第二ターンテーブル３２６上にコンパクトディスクを装着して、このコンパクトディスクをクランパ（図示せず）で第二ターンテーブル３２６上に挟持し、スピンドルモータ３２３を回転させて再生動作を行う。
【０００９】
また、ミニディスクの再生に際しては、カートリッジの挿入を検出すると、駆動モータ３２９が回転して、その駆動力がギア３３０，３３１，３２８を介して保持アーム３２２を矢印Ｙ方向へ回動させる。この回動動作に伴って、第５図（ａ）〜（ｃ）に示すように、保持アーム３２２はボス３３３が三角カム３３２の斜面に沿って昇降動作し、この保持アーム３２２に保持された第二ターンテーブル３２６も回動しつつ第一ターンテーブル３２４から離間し、三角カム３３２の頂点を通過した後は、回動待避しつつ下降して、カートリッジと平面的に干渉しない位置まで至って停止する。
【発明の開示】
【００１０】
従来のディスク装置は以上のように構成されているので、例えば従来の前者のディスク装置においては、ミニディスク、コンパクトディスクの何れの再生状態においても、第一ターンテーブル３０４と、第二ターンテーブル３０６とクランパ３０８を上下に重ねた状態としているために、薄型化できないという課題があった。
【００１１】
また、従来の後者のディスク装置においては、保持アーム３２２の回動動作に連動して第二ターンテーブル３２６の上昇動作を行っており、第一ターンテーブル３２４と第二ターンテーブル３２６の芯出しのための嵌合部との離間、結合が確実に行われない恐れがあり、また、互いに斜めに離間、結合するために高精度な嵌合部を損傷するという恐れもあるという課題があった。
【００１２】
さらに、従来の後者のディスク装置においては、第二ターンテーブル３２６は、ミニディスクのカートリッジと平面的に干渉しない位置に待避されるため、奥行き寸法が大になり、小型化できないという課題があった。
【００１３】
この発明は上記のような課題を解消するためになされたもので、第二ターンテーブルを確実に装着・離間することができ、高さ寸法、及び奥行き寸法を小型化できるディスク装置を得ることを目的とする。
また、第二ターンテーブルの駆動機構を簡素化したディスク装置を得ることを目的とする。
また、ローディングされたミニディスクに支障のない装置奥方へＣＤクランパーアームとＣＤアダプタアームを確実に待避させ、特にローディングされたミニディスクの下方へＣＤクランパーアームとＣＤアダプタアームが潜り込むように待避させることで、高さ寸法、及び奥行き寸法を小型化できるディスク装置を得ることを目的とする。
【００１４】
この発明に係るディスク装置は、カートリッジに収納された第一ディスクを支持して該第一ディスクに回転力を伝達する第一ターンテーブルと、前記第一ターンテーブルに装着・離間可能であり、カートリッジに収納されない第二ディスクを支持して該第二のディスクに回転力を伝達する第二ターンテーブルと、前記第一ターンテーブルを回転駆動するスピンドルモータとを有するディスク装置において、前記第二ターンテーブルを遊嵌保持した保持アームと、前記第二ターンテーブルを前記第一のターンテーブル上に装着・離間しうるように、前記保持アームを上下方向に揺動可能に支持する第一支軸と、前記保持アームを平面方向に回動待避可能に支持する第二支軸とを備えたことにより、高さ寸法、及び奥行き寸法を小型化することができる。
【００１５】
この発明に係るディスク装置は、第一ディスク装着時に駆動する第一駆動プレートと、この第一駆動プレートの始動後の第一の動作期間で保持アームを上昇させて第二ターンテーブルを第一ターンテーブルから離間させるアーム上昇手段と、引き続く前記第一駆動プレートの第二動作期間で前記保持アームを平面回動させて第二ターンテーブルを第一ディスク再生に対して支障のない位置に待避させるアーム回動手段とを備えたことにより、第二ターンテーブルを確実に装着・離間することができる。
【００１６】
この発明に係るディスク装置は、保持アームを平面回動させて、第二ターンテーブルを第一ターンテーブルに対して支障のない位置に待避させた後、保持アームを下降させて前記第二ターンテーブルの少なくとも一部を前記第一ディスクより下方へ待避させるアーム下降手段を備えたことにより、第二ターンテーブルを確実に装着・離間することができ、高さ寸法、及び奥行き寸法を小型化することができる。
【００１７】
この発明に係るディスク装置は、第二ディスクを第二ターンテーブルに押圧・挟持するクランパを保持するクランパアームと、このクランパアームの端部に形成されて保持アームの第二支軸と同一方向に設けられた第三支軸と、前記保持アームが上昇したときに互いに係合する係合部を該保持アームと前記クランパアームとに設けて構成したことにより、第二ターンテーブルの駆動機構を簡素化したディスク装置を得ることができる。
【００１８】
この発明に係るディスク装置は、ケース内蔵記録媒体ディスク装填機構がケース内蔵記録媒体ディスクを装置内の所定位置へ引き込んでターンテーブル上に装填する際、直動的に移動する駆動プレートと、該駆動プレートの移動により、前記ケース内蔵記録媒体ディスクを装置内の所定位置へ引き込んで前記ターンテーブル上に装填するケース内蔵記録媒体ディスク装填機構と、装置内の所定位置へ取り込まれたケース非収納記録媒体ディスクを前記ターンテーブル上に非収納記録媒体ディスクアダプタを介し装填する、非収納記録媒体ディスククランパーと非収納記録媒体ディスクアダプタとをそれぞれ上下動かつ回動可能に支持した非収納記録媒体ディスク装填機構と、前記駆動プレートの直動的な移動により、前記非収納記録媒体ディスクアダプタと前記非収納記録媒体ディスククランパーとを一体的に重合させるカム機構と、該カム機構より重合された前記非収納記録媒体ディスクアダプタと前記非収納記録媒体ディスククランパーを、前記ケース内蔵記録媒体ディスクの前記ターンテーブル上への装填に支障のない装置奥方へ前記駆動プレートの移動に伴って移動させる装置奥方移動機構と、該装置奥方移動機構により装置奥方へ移動された前記非収納記録媒体ディスクアダプタと前記非収納記録媒体ディスククランパーを、前記ターンテーブル上へ装填された前記ケース内蔵記録媒体ディスクより下方へ移動させ待避させる待避機構とを備えるようにしたので、前記駆動プレートの直動的な動きにより、非収納記録媒体ディスクアダプタと非収納記録媒体ディスククランパーを一体的に重合させて装置奥方へ移動させ、さらにケース内蔵記録媒体ディスクより下方へ移動させ待避させることができ、高さ寸法、及び奥行き寸法を小型化できる。
【００１９】
この発明に係るディスク装置は、ディスク挿脱口から挿入され、ケース内蔵記録媒体ディスクホルダーへ装着されたケース内蔵記録媒体ディスクの装置内への押し込み動作により駆動プレートが直動的な移動を開始するようにしたので、ケース内蔵記録媒体ディスクの挿入により開始する前記駆動プレートの直動的な動きにより、非収納記録媒体ディスクアダプタと非収納記録媒体ディスククランパーをターンテーブル上方へ持ち上げて装置奥方へ移動させ、さらにケース内蔵記録媒体ディスクより下方へ移動させ待避させることができ、高さ寸法、及び奥行き寸法を小型化できる。
【００２０】
この発明に係るディスク装置は、駆動プレートの直動的な移動により、前記非収納記録媒体ディスクアダプタを上方へ持ち上げ、前記非収納記録媒体ディスククランパーとを一体的に重合させるカム機構を備えるようにしたので、非収納記録媒体ディスクアダプタと非収納記録媒体ディスククランパーをターンテーブル上方へ持ち上げるための機構が簡略化でき、高さ寸法、及び奥行き寸法を小型化できる。
【００２１】
この発明に係るディスク装置は、直動的な移動を行う駆動プレートに構成されたカム面構成部と、非収納記録媒体ディスクアダプタが先端に構成された非収納記録媒体ディスクアダプタアームの基部付近の前記カム面構成部と当接可能な位置に設けられた突片をカム機構として備えるようにしたので、非収納記録媒体ディスクアダプタと非収納記録媒体ディスククランパーをターンテーブル上方へ持ち上げるための機構が簡略化でき、高さ寸法、及び奥行き寸法を小型化できる。
【００２２】
この発明に係るディスク装置は、直動的な移動を行う駆動プレートに構成されたピンと、前記駆動プレートの直動的な移動により一体的に重合された非収納記録媒体ディスクアダプタと非収納記録媒体ディスククランパーを装置奥方へ移動させる、非収納記録媒体ディスクアダプタアームの基部付近に形成され前記ピンと係合したガイド孔とを装置奥方移動機構が備えるようにしたので、非収納記録媒体ディスクアダプタと非収納記録媒体ディスククランパーを装置奥方へ移動させる機構が簡略化でき、高さ寸法、及び奥行き寸法を小型化できる。
【００２３】
この発明に係るディスク装置は、非収納記録媒体ディスククランパーを上下動かつ回動可能に支持した第１アーム支持部材と、非収納記録媒体ディスクアダプタを上下動かつ回動可能に支持し、前記第１アーム支持部材と回動支軸を共通にする第２アーム支持部材とを非収納記録媒体ディスク装填機構が有し、駆動プレートの直動的な移動動作の最後で、装置奥方からディスク挿脱口の方向へ移動する外部移動体と、該外部移動体の移動により、装置奥方からディスク挿脱口の方向へ移動し、前記第１アーム支持部材と前記第２アーム支持部材とに共通した前記回動支軸の位置を下降させるカムフラップとを待避機構が備えるようにしたので、前記駆動プレートの直動的な動きにより、非収納記録媒体ディスクアダプタと非収納記録媒体ディスククランパーをターンテーブル上へローディングされたケース内蔵記録媒体ディスクより下方へ移動させ待避させることができ、高さ寸法、及び奥行き寸法を小型化できる。
【発明を実施するための最良の形態】
【００２４】
以下、この発明をより詳細に説明するために、この発明を実施するための最良の形態について、添付の図面に従って説明する。
実施の形態１．
第６図は、この発明の実施の形態１によるディスク装置を示す分解斜視図、第７図はターンテーブル部の断面図、第８図はカム部の詳細図である。第６図において、１はスピンドルモータ３と光ピックアップ５が搭載されているベース、４は前記スピンドルモータ３に固着されている第一ターンテーブルで、第一ディスク（ミニディスク）５１の中心孔に対応した芯出し部と、受け面を有している。６は第二ターンテーブルであって、第二ディスク（コンパクトディスク）５２の中心孔に対応した芯出し部と、受け面を有しており、第一保持アーム２の先端に遊嵌保持されている。
【００２５】
９ａ，９ｂはベース１上に支持部材１０により平行に支持されたガイドレールであり、このガイドレール９ａ，９ｂに光ピックアップ５が支持腕５ａ〜５ｃによって移動可能に支持されている。２０は前記第一保持アーム２を第二保持アーム２１に対して平面内で回動自在に支持する第一支軸、１１は、前記第一保持アーム２と第二保持アーム２１を一体に前記ベース１に対して上下方向に揺動自在に支持する第二支軸、２５は第一保持アーム２に装着され、第一支軸２０に回転可能に支持されたカムである。
【００２６】
８は第二ディスク５２を押圧するためのクランパで、クランパアーム７の先端に遊嵌保持されている。１２は前記クランパアーム７の後端をアーム１３の折り曲げ平面部１３ａに対して回動自在に支持する支軸である。前記クランパアーム７とアーム１３は、前記支軸１１及び支軸１４によって、一体となって前記ベース１に対して上下方向に揺動自在に該ベース１上の支持部材１５に支持されている。また、前記クランパアーム７にはカム溝１６が形成されている。
【００２７】
１７は駆動源（図示せず）によって図中矢印Ｊ−Ｋ方向に移動される第一駆動プレートであり、前記アーム１３に形成されたカム１９と当接するためのピン２２が植設されている。また、２３も同様に図中矢印Ｊ−Ｋ方向に移動される第二駆動プレートであり、前記第二保持アーム２１に形成されたカム２４と当接するためのピン２６と、前記クランパアーム７に形成されたカム溝１６と係合するためのピン２７と、前記カム２５と係合するためのピン２８がそれぞれ植設されている。
【００２８】
第７図はターンテーブル部の断面を示す図であり、第一ターンテーブル４には、第一ディスクの芯出しのための円筒部４ａと受け面４ｂが形成されている。また、第二ターンテーブル６には、前記円筒部４ａと嵌合する円筒状凹部６ａと、前記受け面４ｂと当接するための当接面６ｂと、第二ディスク５２の芯出しのための円筒部６ｃと、受け面６ｄとを備えている。なお、この実施の形態１では、ピン２６とカム２４とによりアーム上昇手段を構成し、ピン２８とカム２５およびピン２７とカム溝１６とによりアーム回動手段を構成し、ピン２２とカム１９とによりアーム下降手段を構成している。
【００２９】
次に動作について説明する。
第９図はディスクが装着されていない待ち受け状態を示す側面図であり、第一ターンテーブル４上に第二ターンテーブル６が装着されている。また、第一保持アーム２に設けられた当接部２９と、ベース１に形成された位置決めピン１８とが当接して位置決めされている。
【００３０】
この状態で、第二ディスク（以下、コンパクトディスクという）５２がクランパ８と第二ターンテーブル６との間の間隙にローディング機構（図示せず）によって導入され所定位置に至ると、第６図に示す第一駆動プレート１７が例えば導入されたコンパクトディスク５２によって直接または他の部材を介して矢印Ｊ方向へ押し動かされ、ローディング機構の駆動力を受ける位置に達した後は該駆動力を受けて同方向に移動を続ける。このため、ピン２２がカム１９から外れ、クランパアーム７とアーム１３が第二支軸１１及び支軸１４を軸に同時に矢印Ｂ方向へ揺動して、クランパ８がコンパクトディスク５２を第二ターンテーブル６に押圧して第１０図に至る。次に、スピンドルモータ３が回転して、コンパクトディスク５２に回転駆動力が伝達されて再生動作を開始する。
【００３１】
次に、第一ディスク（以下、ミニディスクという）５１の再生動作について説明する。第９図の状態から、カートリッジ５３に収納されたミニディスク５１がローディング機構（図示せず）によって挿入されると、第６図に示す第二駆動プレート２３が例えば導入されたカートリッジ５３によって直接または他の部材を介して矢印Ｊ方向へ押し動かされ、ローディング機構の駆動力を受ける位置に達した後は該駆動力を受けて同方向に移動を続ける。この第二駆動プレート２３の移動開始後の第一期間では、ピン２６がカム２４に作用する関係により、第二保持アーム２１と第一保持アーム２は矢印Ａ方向へ揺動し、第二ターンテーブル６を第一ターンテーブル４から離間して第１１図の状態に至る。
【００３２】
つまり、第８図に示すように、第二駆動プレート２３の移動開始後の第一期間では、ピン２８，２７はそれぞれカム２５とカム溝１６の平行部を摺動するので、第一保持アーム２及びクランパアーム７は停止状態を保っており、第二ターンテーブル６は回動することがなく、第一ターンテーブル４から上昇して該第一ターンテーブル４から離間するので、両者の嵌合部がスムースに離間することができる。
【００３３】
さらに第二駆動プレート２３が矢印Ｊ方向に移動して第二期間に至ると、ピン２７とカム溝１６、ピン２８とカム２５の係合により、クランパアーム７と第一保持アーム２が矢印Ｄ方向へ、つまり、カートリッジ５３と干渉しない所定の待避位置まで回動する。その後、カートリッジ５３がローディング機構（図示せず）によって第一ターンテーブル上に下降され、カートリッジ５３に収納されているミニディスク５１が第一ターンテーブル４に装着されて、スピンドルモータ３で回転駆動されて再生動作を行う。カートリッジ５３の排出動作は、上記の説明とは逆の動作を行えばよいので説明を省略する。
【００３４】
実施の形態２．
実施の形態１では、第二ターンテーブル６がカートリッジ５３と平面的に干渉しない所定位置まで回動待避する構成について述べたが、この実施の形態２では、第二ターンテーブル６が、第一ターンテーブル４と干渉しない所定位置まで回動待避を行った後、第一保持アーム２、第二保持アーム２１が第二支軸１１を軸として下方向へ揺動して、カートリッジ５３より下方に待避する構成としたものである。
【００３５】
コンパクトディスク５２の再生動作については、実施の形態１と同様なので説明を省略する。同じく、第二ターンテーブル６を第一ターンテーブル４から離間させる動作までは実施の形態１と同様なので重複説明を省略する。第二駆動プレート２３が矢印方向に移動して第二期間に至ると、ピン２７とカム溝１６、ピン２８とカム２５の係合により、クランパアーム７が矢印Ｃ方向へ、第一保持アーム２が矢印Ｄ方向へ、それぞれ第一ターンテーブル４と干渉しない所定の待避位置まで回動して第１２図に至る。その後、第６図に示す第二駆動プレート２３の移動過程で直接または他の部材を介して第一駆動プレート１７も矢印Ｊ方向へ押し動かされ、第１５図に示すように、第二保持アーム２１はカム２４の傾斜に応じて矢印Ｂ方向へ、アーム１３もカム１９の傾斜によって同じく矢印Ｂ方向へ、それぞれ揺動し、少なくとも第二ターンテーブル６の一部がカートリッジ５３の再生位置より下方になる待避位置、すなわち第１３図に至り停止する。
【００３６】
この状態により、導入されたカートリッジ５３は、ローディング機構（図示せず）によって下降され、コンパクトディスク５１が第一ターンテーブル４に装着され、スピンドルモータ３で回転駆動されて再生動作を行う。カートリッジ５３の排出動作は、上記の説明とは逆の動作を行えばよいので説明を省略する。
【００３７】
実施の形態３．
上記、実施の形態１及び実施の形態２では、第一保持アーム２の回動駆動をピン２８とカム２５の係合によって行う構成としたが、この実施の形態３は第１４図に示すように、第一保持アーム２が上昇した際にクランパアーム７と結合しうる係合部３０，３１を第一保持アーム２とクランパアーム７とに対応させて形成した構成である。コンパクトディスク５２の再生動作については、実施の形態１と同様なので重複説明を省略する。
【００３８】
次に動作について説明する。
実施の形態１で説明したように、カートリッジ５３に収納されたミニディスク５１がローディング機構（図示せず）によって挿入されると、第二駆動プレート２３が例えば導入されたカートリッジ５３によって直接または他の部材を介して矢印Ｊ方向へ押し動かされ、ローディング機構の駆動力を受ける位置に達した後は該駆動力を受けて同方向に移動を続ける。
【００３９】
この第二駆動プレート２３の移動開始後の第一期間では、ピン２６がカム２４に作用する関係により、第一保持アーム２が上昇し該第一保持アーム２に形成された係合孔３０がクランパアーム７に形成された係合部としての係合部３１と係合する。さらに第二駆動プレート２３が移動して第二期間に至ると、ピン２７とカム溝１６の係合により、クランパアーム７は矢印Ｃ方向へ回動する。
【００４０】
このとき、第一保持アーム２も前記クランパアーム７と一体に矢印Ｄ方向へ回動し、カートリッジ５３と干渉しない所定の待避位置にまで至り停止する。その後、カートリッジ５３がローディング機構（図示せず）によって下降され、ミニディスク５１が第一ターンテーブル４に装着され、スピンドルモータ３で回転駆動されて再生動作を行う。カートリッジ５３の排出動作は、上記の説明とは逆の動作を行えばよいので説明は省略する。
【００４１】
実施の形態４．
次に、この発明の実施の形態４のディスク装置について説明する。
この実施の形態４のディスク装置は、ミニディスクが挿入されると、コンパクトディスクのローディングおよびイジェクトに関わるＣＤクランパー、ＣＤアダプタなどは、ミニディスクのローディングに支障のない装置奥方へ移動し、さらにターンテーブル上へローディングされたミニディスクの下方位置へ潜り込むように待避する。
【００４２】
第１６図および第１７図は、この実施の形態４のディスク装置におけるディスク挿入前の待機状態の構成を立体的に示す構造図である。
【００４３】
また、第１８図は、第１６図におけるディスク挿入前の待機状態のディスク装置においてコンパクトディスクを装置内へ搬送するためのローラなどの搬送機構を省略した状態を示す平面図、第１９図は第１８図に示すディスク装置の右側面図、第２０図は第１８図に示す状態を立体的に示す構造図である。
【００４４】
また、第２１図は第１６図におけるディスク挿入前の待機状態においてＣＤアダプタが上方へ持ち上がり、ＣＤクランパーの裏面へ重なった状態を、コンパクトディスクを装置内へ搬送するためのローラなどの搬送機構を省略して示した平面図、第２２図は第２１図に示すディスク装置の右側面図、第２３図は第２１図に示す状態を立体的に示す構造図である。
【００４５】
第２４図は、ＣＤクランパーとＣＤアダプタが装置奥方へ移動したときの構成を立体的に示す構造図、第２５図は、ＣＤクランパーとＣＤアダプタが装置奥方へ移動し、ターンテーブル上へローディングされたミニディスクより下方位置へ前記装置奥方で潜り込むように待避した状態を立体的に示す構造図、第２６図は第２５図の状態をミニディスクとの関係で示した構造図である。
【００４６】
第２７図は、第２４図におけるＣＤクランパーおよびＣＤアダプタが装置奥方へ移動した状態のディスク装置においてコンパクトディスクを装置内へ搬送するためのローラなどの搬送機構を省略した状態を示す平面図、第２８図は第２７図に示すディスク装置の右側面図、第２９図は第２７図に示す状態を立体的に示す構造図である。
【００４７】
また、第３０図は、第２５図におけるＣＤクランパーおよびＣＤアダプタが装置奥方へ待避した状態のディスク装置においてコンパクトディスクを装置内へ搬送するためのローラなどの搬送機構を省略した状態を示す平面図、第３１図は第３０図に示すディスク装置の右側面図、第３２図は第３０図に示す状態を立体的に示す構造図である。
【００４８】
また、第３３図は、第２５図におけるＣＤクランパーおよびＣＤアダプタが装置奥方へ待避した状態のディスク装置においてコンパクトディスクを装置内へ搬送するためのローラなどの搬送機構を省略した状態をミニディスクとの関係で示す平面図、第３４図は第３３図に示すディスク装置の右側面図、第３５図は第３３図に示す状態を立体的に示す構造図である。
【００４９】
また、第３６図および第３７図はこの実施の形態４のディスク装置の主要構成部分の係合関係を示す分解図である。
これらの図において、９７はベースシャーシ、９８はキャリッジ、９９はキャリッジ９８に搭載された光ピックアップである。
【００５０】
１０１はミニディスクがディスク挿脱口から挿入され、装置内へ取り込まれることで矢印Ｃ方向へ直動的に移動する駆動プレートである。この駆動プレート１０１の直動的な移動は、図示していないディスク挿脱口から挿入されてＭＤホルダーに装着されたミニディスクに対するユーザによる装置内への押し込み動作により開始される。
【００５１】
１０４はＣＤクランパー（非収納記録媒体ディスククランパー）、１０５はＣＤクランパー１０４が先端に構成されたＣＤクランパーアーム（非収納記録媒体ディスククランパーアーム）、１０６はＣＤアダプタ（非収納記録媒体ディスクアダプタ）、１０７はミニディスク（ケース内蔵記録媒体ディスク）である。
【００５２】
１１０はディスクをローディングおよびイジェクトする際の駆動源であるモータ、１１１はクラッチである。
【００５３】
１２３は駆動プレート１０１に形成されたガイド孔、１２４はガイド孔１２３と係合したガイドピン、１４２は先端にＣＤアダプタ１０６が構成されたＣＤアダプタアーム（非収納記録媒体ディスクアダプタアーム）、１４３はＣＤアダプタアーム１４２の基部付近に形成された曲線状のガイド孔である。
【００５４】
１４５はＣＤアダプタアーム１４２を上方へ持ち上げるためのＣＤアダプタアーム１４２の基部付近に形成された突片であり、第３３図、第３５図または第３６図に示す駆動プレート１０１上に構成されたカム面構成部１８１と当接する。ＣＤアダプタアーム１４２の基部付近に形成された突片１４５は、カム面構成部１８１が構成された駆動プレート１０１の矢印Ｃ方向の移動によりそのカム面上へ乗り上げて、ＣＤアダプタアーム１４２を上方へ持ち上げる。
【００５５】
１５１はコンパクトディスクの装置内への搬送、および装置内からの排出を行うためのローラ、１５２はローラ１５１の端部を回動可能に支持している支持板、１５３は支持板１５２に構成されたピン、１５４はローラ１５１の下方に配置されたベースフラップである。
【００５６】
１６１は矢印Ａ方向および矢印Ｂ方向へ移動するカムフラップであり、第２５図に示すように第１傾斜カム面１６１ａと第２傾斜カム面１６１ｂが形成されている。
【００５７】
１６２はカムフラップ１６１に形成され、前記支持板１５２に構成されたピン１５３と係合するカム面、１６３はカムフラップ１６１と一体的に構成されたラック部を有したラック構成部材である。
【００５８】
１６４はＣＤクランパーアーム１０５の基部と係合し、矢印１方向および矢印Ｊ方向に回動可能な第１アーム支持部材、１６４ａは第１アーム支持部材１６４に構成されたクランプ規制ピンである。１６４ｂは第１アーム支持部材１６４に形成された孔である。
【００５９】
１６５はＣＤアダプタアーム１４２の基部と係合し、矢印１方向および矢印Ｊ方向に回動可能な第２アーム支持部材であり、孔１６５ａが形成されている。
【００６０】
１６６は第１アーム支持部材１６４および第２アーム支持部材１６５を矢印１方向および矢印Ｊ方向に回動可能にする、第１アーム支持部材１６４に構成された回動支軸であり、前記第２アーム支持部材１６５に形成された孔１６５ａを貫通し、外方向へ突出する。
【００６１】
１６７は第２アーム支持部材１６５に構成された、第１アーム支持部材１６４および第２アーム支持部材１６５を矢印Ｉ方向および矢印Ｊ方向に回動可能にする回動支軸である。この回動支軸１６７は、第１アーム支持部材１６４に形成された前記孔１６４ｂを貫通して外方向へ突出する。
【００６２】
これら回動支軸１６６，１６７により第１アーム支持部材１６４および第２アーム支持部材１６５は矢印Ｉ方向および矢印Ｊ方向にそれぞれ回動することが可能になる。
【００６３】
１７１は回動支軸１６６と一端が係合し、他端が回動可能に軸支されているレバーである。このレバー１７１は、図示していないＭＤホルダーガイドプレートにより案内されたＭＤホルダーに装着されたミニディスクをターンテーブル１７３に対し上下させる。
【００６４】
２０３はリンクレバーであり、中央部付近で回動可能に軸支されている。
２０４はリンクレバー２０３の一端と係合した、駆動プレート１０１に構成されたガイド孔である。
【００６５】
第２４図において、１８０は駆動プレート１０１に構成されたガイドピンであり、ＣＤアダプタアーム１４２の基部付近に構成された曲線状のガイド孔１４３と係合している。
【００６６】
第２５図において、１９１は内部移動体である。内部移動体１９１には、第３６図に示すように装置内部へ向けて折り曲げられた折曲部１９１ａが構成されている。
【００６７】
第３６図において、１９２は外部移動体、１９２ａは装置内部へ向けて外部移動体１９２に形成された折曲部である。この折曲部１９２ａは外部移動体１９２が矢印Ａ方向へ移動したときにカムフラップ１６１を同じように矢印Ａ方向へ移動させるためのものである。１９２ｂは外部移動体１９２に構成された折曲部であり、スリット１９２ｃが形成されている。このスリット１９２ｃはリンクレバー２０３の他端と係合している。
【００６８】
１９１ｂは内部移動体１９１の後端部付近に形成されたカム面である。１９１ｃは内部移動体１９１に形成された長孔であり、カムフラップ１６１に構成されたピンが前記長孔１９１ｃ内を移動する。１９１ｄは内部移動体１９１に形成された長孔であり、カムフラップ１６１に構成されたピンが前記長孔１９１ｄ内を移動する。
【００６９】
２００はベースシャーシ９７の両側辺の後端部付近に上方へ直角に折り曲げて形成された屈曲部であり、図面左側の屈曲部２００には装置内側方向へ向けてピン２００ａが構成され、図面右側の屈曲部２００には装置外側方向へ向けてピン２００ｂが構成されている。また、図面左側の屈曲部２００には上下方向に、回動支軸１６６と係合して回動支軸１６６が上下方向に移動可能になるようにスリット２００ｃが形成されている。また、図面右側の屈曲部２００には上下方向に回動支軸１６７と係合し、回動支軸１６７が上下方向に移動可能になるようにスリット２００ｄが形成されている。
【００７０】
２１２はＭＤカートリッジ昇降部材、２１３はＭＤカートリッジ昇降部材２１２の両端に構成された支持部材であり、図面右側の支持部材２１３は、透孔２１４ａとピン２１４ｂが形成された下方屈曲部２１４を有している。前記透孔２１４ａは図面右側の屈曲部２００に構成されたピン２００ｂと係合する。また、図面左側の支持部材２１３は、透孔（図示せず）とＭＤカートリッジ昇降規制ピン２１４ｃが形成された下方屈曲部２１４を有している。前記図示していない透孔は図面左側の屈曲部２００に構成されたピン２００ａと係合している。
【００７１】
２２１はベースシャーシ９７の両側辺の中央部付近に上方へ直角に折り曲げて形成された屈曲部、２２２は屈曲部２２１に構成されたピンである。このピン２２２はレバー１７１の他端に形成された透孔１７１ｂと回動可能に係合している。また、レバー１７１の中央部付近には、ＭＤカートリッジ昇降部材２１２の図面右側に構成された支持部材２１３が有しているピン２１４ｂと係合する長孔１７１ａが形成されている。
【００７２】
次に、動作について説明する。
第３８図から第５４図は、この実施の形態４のディスク装置の動作説明図である。
第３８図から第４１図はこのディスク装置の待機状態を示す動作説明図であり、第３８図は待機状態にあるディスク装置の左側面が明確になるように立体的に示した動作説明図である。第３９図は第３８図の左側面図である。第４０図は待機状態にあるディスク装置の右側面が明確になるように立体的に示した動作説明図である。第４１図は第４０図の右側面図である。
【００７３】
第４２図から第４５図はこのディスク装置のクランプ時の状態を示す動作説明図であり、第４２図はクランプした状態にあるディスク装置の左側面が明確になるように立体的に示した動作説明図である。第４３図は第４２図の左側面図である。第４４図は待機状態にあるディスク装置の右側面が明確になるように立体的に示した動作説明図である。第４５図は第４４図の右側面図である。
【００７４】
第４６図から第５３図はこのディスク装置のＣＤクランプアーム１０５とＣＤアダプタアーム１４２が装置奥方へ待避した状態を示す動作説明図であり、第４６図はＣＤクランプアーム１０５とＣＤアダプタアーム１４２が待避した状態にあるディスク装置の左側面が明確になるように立体的に示した動作説明図である。第４７図は第４６図の左側面図である。第４８図は待避状態にあるディスク装置の右側面が明確になるように立体的に示した動作説明図である。第４９図は第４８図の右側面図である。第５０図は、装置奥へ待避したＣＤクランプアーム１０５とＣＤアダプタアーム１４２が下方へ下降した状態にあるディスク装置を示す動作説明図、第５１図は、第５０図の左側面図である。第５２図は、装置奥へ待避したＣＤクランプアーム１０５とＣＤアダプタアーム１４２が下方へ下降してＭＤカートリッジ昇降部材２１２がディスク挿脱口の方向へ傾いた状態を示す動作説明図、第５３図は第５２図の右側面図である。
【００７５】
また、第５４図はＣＤクランパー１０４、ＣＤアダプタ１０６、およびターンテーブル１７３などの関係が明確になるように立体的に示した動作説明図である。
【００７６】
先ず、このディスク装置が待機状態にあるときの動作について第３８図から第４１図を使用して説明する。この待機状態では、カムフラップ１６１は矢印Ｂ方向の移動限界位置まで移動している。この結果、第３８図から第４１図に示すように、第１アーム支持部材１６４に形成された孔１６４ｂを貫通し外部へ突出している回動支軸１６７が、カムフラップ１６１の第１傾斜カム面１６１ａ上部の段部へ移動し、また、第２アーム支持部材１６５に構成されたクランプ規制ピン１６４ａがカムフラップ１６１の第２傾斜カム面１６１ｂ上部の段部へ移動している。このため、ＣＤクランパー１０４とＣＤアダプタ１０６は互いに離間してターンテーブル１７３の位置で上方へ持ち上げられた状態にある。
【００７７】
この待機状態において、コンパクトディスクがディスク挿脱口から挿入され、ローラ１５１が回転駆動され、ローラ１５１により前記コンパクトディスクが装置内のターンテーブル１７３上まで搬送されると、この搬送されたコンパクトディスクの中心部は、前記互いに離間してターンテーブル１７３の位置で上方へ持ち上げられた状態にあるＣＤクランパー１０４とＣＤアダプタ１０６との間に位置する。このコンパクトディスクの装置内への搬送に伴い、第４２図から第４５図に示すように、カムフラップ１６１は矢印Ａ方向へ移動する。この結果、カムフラップ１６１の第１傾斜カム面１６１ａ上部の段部へ移動していた回動支軸１６７は第１傾斜カム面１６１ａ上を滑り降り、またカムフラップ１６１の第２傾斜カム面１６１ｂ上部の段部へ移動していたクランプ規制ピン１６４ａが第２傾斜カム面１６１ｂ上を滑り降りるため、ＣＤクランパーアーム１０５とＣＤアダプタアーム１４２は回動支軸１６６，１６７を中心に先端を下方へ回転させる動作を行いながら下降する。そして、ターンテーブル１７３へ向かってＣＤクランパー１０４とＣＤアダプタ１０６が下降する。このとき、ターンテーブル１７３へ向かって下降するＣＤクランパー１０４とＣＤアダプタ１０６は、前記コンパクトディスクの中心部をクランプしながらターンテーブル１７３上へ降り、コンパクトディスクのローディングが行われる。また、このとき矢印Ａ方向へ移動したカムフラップ１６１によりローラ１５１はコンパクトディスクの回転に支障のない下方位置へ移動する。
【００７８】
また、前記待機状態において、ミニディスクが挿入されると、このミニディスクの挿入が検出され、この結果、駆動プレート１０１が矢印Ｃ方向へ駆動される。駆動プレート１０１が矢印Ｃ方向へ移動すると、先ず、駆動プレート１０１に構成された第３６図、第３７図に示すカム面構成部１８１がＣＤアダプタアーム１４２に形成された突片１４５と当接し、この結果、ＣＤアダプタアーム１４２およびＣＤクランパーアーム１０５を上方へ持ち上げながら、ＣＤクランパー１０４の下面へＣＤアダプタ１０６の上面を重合させる。このとき、第１アーム支持部材１６４および第２アーム支持部材１６５も第２２図に示すようにターンテーブル１７３側が高く、装置奥側が低い状態に傾いている。
【００７９】
一方、矢印Ｃ方向へ移動する駆動プレート１０１により、駆動プレート１０１に形成されたガイドピン１８０が、ＣＤアダプタアーム１４２の基部付近に形成された曲線状のガイド孔１４３内を移動することで、前記ＣＤアダプタアーム１４２およびＣＤクランパーアーム１０５を、第４６図から第４９図に示すように、矢印Ｇ方向へ一体的に装置奥方へ移動させる。装置奥方へ一体的に移動したＣＤアダプタアーム１４２およびＣＤクランパーアーム１０５（ＣＤクランパー１０４とＣＤアダプタ１０６もＣＤアダプタアーム１４２およびＣＤクランパーアーム１０５とともに移動する）は、第４８図、第４９図に示すように、第１アーム支持部材１６４および第２アーム支持部材１６５が傾いて水平状態にないことから、ターンテーブル１７３側が高く、装置奥側が低い状態になって装置奥方へ移動した状態にある。なお、このとき、ＣＤアダプタアーム１４２に形成された突片１４５は駆動プレート１０１に構成されたカム面構成部１８１から外れた状態になっている。
【００８０】
この状態で、駆動プレート１０１がさらに矢印Ｃ方向へ移動し、その移動限界に達する直前において、ガイド孔２０４と係合した第３６図、第３７図に示すリンクレバー２０３の一端は、ガイド孔２０４の方向がその端部で装置奥方へ曲がっていることから、装置奥方へ押される。この結果、リンクレバー２０３の他端はその支点を中心に第３６図、第３７図に示す矢印Ｐ方向へ回転する。
【００８１】
リンクレバー２０３の他端は、外部移動体１９２の折曲部１９２ｂに形成されたスリット１９２ｃと係合しているため、リンクレバー２０３の矢印Ｐ方向の回転は、外部移動体１９２を矢印Ａ方向へ移動させる。
【００８２】
外部移動体１９２の折曲部１９２ａはカムフラップ１６１と係合しているため、外部移動体１９２が矢印Ａ方向へ移動するとカムフラップ１６１も同様に矢印Ａ方向へ移動され、カムフラップ１６１のラック構成部材１６３が有しているラック部がモータ１１０により駆動されているピニオンと噛み合って、カムフラップ１６１は矢印Ａ方向へさらに移動する。
【００８３】
この結果、第１アーム支持部材１６４の外部へ突出している回動支軸１６７はカムフラップ１６１の第１傾斜カム面１６１ａ上を滑り降り、またクランプ規制ピン１６４ａもカムフラップ１６１の第２傾斜カム面１６１ｂ上を滑り降りて、ターンテーブル１７３側が高く、装置奥側が低い状態に傾いていた第１アーム支持部材１６４および第２アーム支持部材１６５を第５０図から第５３図に示すように水平に規制する。このとき、回動支軸１６７は第５０図に示す外部移動体１９２に上下方向に形成されたスリット１９２ｄと、第３６図および第３７図に示す屈曲部２００のスリット２００ｄ内に落ち込んだ状態に、また回動支軸１６６は第３６図および第３７図に示した屈曲部２００のスリット２００ｃ内に落ち込んだ状態になる。
【００８４】
一方、回動支軸１６６が屈曲部２００のスリット２００ｃ内に落ち込むと、第５２図に示すように、回動支軸１６６はレバー１７１の一端を下方に押下し、レバー１７１の中央付近に形成された長孔１７１ａと係合している支持部材２１３のピン２１４ｂを押し下げる。この結果、ＭＤカートリッジ昇降部材２１２は下降し、図示していないＭＤホルダーに装着されているミニディスクをターンテーブル１７３上へ水平に載置する。
【００８５】
このとき、装置奥方へ移動したコンパクトディスクローディング用のＣＤクランパー１０４およびＣＤアダプタ１０６は、ＣＤクランパーアーム１０５およびＣＤアダプタアーム１４２とともに、ローディングされたミニディスクの下方へ潜り込むように待避した状態になる。
【００８６】
以上のように、この実施の形態４によれば、ミニディスクのローディング時には、コンパクトディスクローディング用のＣＤクランパー１０４およびＣＤアダプタ１０６は、ＣＤクランパーアーム１０５およびＣＤアダプタアーム１４２とともに装置奥方へ移動し、さらにローディングされたミニディスクの下方へ潜り込むように収納され待避した状態になるため、高さ寸法、及び奥行き寸法を小型化できるディスク装置が得られる効果がある。
【図面の簡単な説明】
【００８７】
【図１】従来の第一のディスク装置を示す構成図である。
【図２】このディスク装置にＣＤを装填した状態の構成図である。
【図３】このディスク装置にＭＤを装填した状態の構成図である。
【図４】従来の第二のディスク装置を示す構成図である。
【図５】この第二のディスク装置の動作説明図である。
【図６】この発明の実施の形態１によるディスク装置を示す分解斜視図である。
【図７】ターンテーブル部の断面図である。
【図８】カム部の詳細図である。
【図９】ＣＤ装填準備状態を示す側面図である。
【図１０】ＣＤ装填状態の側面図である。
【図１１】第二ターンテーブルを第一ターンテーブルから離間した状態の側面図である。
【図１２】この発明の実施の形態２によるディスク装置において、第二ターンテーブルを第一ターンテーブルと干渉しない待避位置に移動させた状態の側面図である。
【図１３】第二ターンテーブルの一部をカートリッジの再生位置より下方に待避させた状態の側面図である。
【図１４】この発明の実施の形態３によるディスク装置を示す分解斜視図である。
【図１５】このディスク装置の要部の説明図である。
【図１６】この発明の実施の形態４のディスク装置におけるディスク挿入前の待機状態の構成を立体的に示す構造図である。
【図１７】この発明の実施の形態４のディスク装置におけるディスク挿入前の待機状態の構成を立体的に示す構造図である。
【図１８】この発明の実施の形態４のディスク装置におけるコンパクトディスクを装置内へ搬送するためのローラなどの搬送機構を省略した状態を示す平面図である。
【図１９】第１８図に示すディスク装置の右側面図である。
【図２０】第１８図に示す状態を立体的に示す構造図である。
【図２１】ＣＤアダプタが上方へ持ち上がり、ＣＤクランパーの裏面へ重なった状態を、コンパクトディスクを装置内へ搬送するためのローラなどの搬送機構を省略して示した平面図である。
【図２２】第２１図に示すディスク装置の右側面図である。
【図２３】第２１図に示す状態を立体的に示す構造図である。
【図２４】この発明の実施の形態４のディスク装置におけるＣＤクランパーとＣＤアダプタが装置奥方へ移動したときの構成を立体的に示す構造図である。
【図２５】この発明の実施の形態４のディスク装置におけるＣＤクランパーとＣＤアダプタが装置奥方へ待避した状態を立体的に示す構造図である。
【図２６】第２５図の状態をミニディスクとの関係で示した構造図である。
【図２７】この発明の実施の形態４のディスク装置におけるＣＤクランパーおよびＣＤアダプタが装置奥方へ移動した状態を示す平面図である。
【図２８】第２７図に示すディスク装置の右側面図である。
【図２９】第２７図に示す状態を立体的に示す構造図である。
【図３０】この発明の実施の形態４のディスク装置におけるＣＤクランパーおよびＣＤアダプタが装置奥方へ待避した状態を示す平面図である。
【図３１】第３０図に示すディスク装置の右側面図である。
【図３２】第３０図に示す状態を立体的に示す構造図である。
【図３３】この発明の実施の形態４のディスク装置におけるＣＤクランパーおよびＣＤアダプタが装置奥方へ待避した状態をミニディスクとの関係で示す平面図である。
【図３４】第３３図に示すディスク装置の右側面図である。
【図３５】第３３図に示す状態を立体的に示す構造図である。
【図３６】この発明の実施の形態４のディスク装置の主要構成部分の係合関係を示す分解図である。
【図３７】この発明の実施の形態４のディスク装置の主要構成部分の係合関係を示す分解図である。
【図３８】この発明の実施の形態４の待機状態にあるディスク装置の左側面が明確になるように立体的に示した動作説明図である。
【図３９】第３８図の左側面図である。
【図４０】この発明の実施の形態４の待機状態にあるディスク装置の右側面が明確になるように立体的に示した動作説明図である。
【図４１】第４０図の右側面図である。
【図４２】この発明の実施の形態４のクランプした状態にあるディスク装置の左側面が明確になるように立体的に示した動作説明図である。
【図４３】第４２図の左側面図である。
【図４４】この発明の実施の形態４の待機状態にあるディスク装置の右側面が明確になるように立体的に示した動作説明図である。
【図４５】第４４図の右側面図である。
【図４６】この発明の実施の形態４のＣＤクランプアームとＣＤアダプタアームが待避した状態にあるディスク装置の左側面が明確になるように立体的に示した動作説明図である。
【図４７】第４６図の左側面図である。
【図４８】この発明の実施の形態４の待避状態にあるディスク装置の右側面が明確になるように立体的に示した動作説明図である。
【図４９】第４８図の右側面図である。
【図５０】この発明の実施の形態４の装置奥へ待避したＣＤクランプアームとＣＤアダプタアームが下方へ下降した状態にあるディスク装置を示す動作説明図である。
【図５１】第５０図の左側面図である。
【図５２】この発明の実施の形態４のディスク装置において装置奥へ待避したＣＤクランプアームとＣＤアダプタアームが下方へ下降した状態を示す動作説明図である。
【図５３】第５２図の右側面図である。
【図５４】この発明の実施の形態４のディスク装置におけるＣＤクランパー、ＣＤアダプタ、およびターンテーブルなどの関係が明確になるように立体的に示した動作説明図である。
【図１】
0003749122.tif 000002
【図２】
0003749122.tif 000003
【図３】
0003749122.tif 000004
【図４】
0003749122.tif 000005
【図５】
0003749122.tif 000006
【図６】
0003749122.tif 000007
【図７】
0003749122.tif 000008
【図８】
0003749122.tif 000009
【図９】
0003749122.tif 000010
【図１０】
0003749122.tif 000011
【図１１】
0003749122.tif 000012
【図１２】
0003749122.tif 000013
【図１３】
0003749122.tif 000014
【図１４】
0003749122.tif 000015
【図１５】
0003749122.tif 000016
【図１６】
0003749122.tif 000017
【図１７】
0003749122.tif 000018
【図１８】
0003749122.tif 000019
【図１９】
0003749122.tif 000020
【図２０】
0003749122.tif 000021
【図２１】
0003749122.tif 000022
【図２２】
0003749122.tif 000023
【図２３】
0003749122.tif 000024
【図２４】
0003749122.tif 000025
【図２５】
0003749122.tif 000026
【図２６】
0003749122.tif 000027
【図２７】
0003749122.tif 000028
【図２８】
0003749122.tif 000029
【図２９】
0003749122.tif 000030
【図３０】
0003749122.tif 000031
【図３１】
0003749122.tif 000032
【図３２】
0003749122.tif 000033
【図３３】
0003749122.tif 000034
【図３４】
0003749122.tif 000035
【図３５】
0003749122.tif 000036
【図３６】
0003749122.tif 000037
【図３７】
0003749122.tif 000038
【図３８】
0003749122.tif 000039
【図３９】
0003749122.tif 000040
【図４１】
0003749122.tif 000041
【図４３】
0003749122.tif 000042
【図４０】
0003749122.tif 000043
【図４２】
0003749122.tif 000044
【図４４】
0003749122.tif 000045
【図４５】
0003749122.tif 000046
【図４７】
0003749122.tif 000047
【図４９】
0003749122.tif 000048
【図４６】
0003749122.tif 000049
【図４８】
0003749122.tif 000050
【図５０】
0003749122.tif 000051
【図５１】
0003749122.tif 000052
【図５３】
0003749122.tif 000053
【図５２】
0003749122.tif 000054
【図５４】
0003749122.tif 000055